(57)【要約】【課題】  製造時に抜きカスが生じることなく、紐を通して引っ張っても容易に破断せず、またプリンター等のＯＡ機器に通して容易に印字、印刷することができ、また印字、印刷等の記載可能面積をより広く確保することができる下げ札及び下げ札用シートの提供を課題とする。【解決手段】  紐や針金等の取付紐を通して荷物やその他の物に取り付けるための紙状の下げ札１０であって、前記取付紐を取り付けるべき端辺１１の近くに構成される通し穴２０を、過半円弧状の切り込み２１によって、該過半円弧の頂点２１ａが前記端辺１１に対して最短距離位置に配置されると共に、過半円弧の一対の切り込み端２１ｂが前記端辺１１から等距離で且つ最長距離位置に配置されるように構成してある。【選択図】      図１
0003116338.tif 000002
【実用新案登録請求の範囲】
【請求項１】
紐や針金等の取付紐を通して荷物やその他の物に取り付けるための紙状の下げ札であって、前記取付紐を取り付けるべき端辺の近くに構成される通し穴を、過半円弧状の切り込みによって、該過半円弧の頂点が前記端辺に対して最短距離位置に配置されると共に、過半円弧の一対の切り込み端が前記端辺から等距離で且つ最長距離位置に配置されるように構成してあることを特徴とする下げ札。
【請求項２】
過半円弧は中心角が１９０〜２３０度の範囲とすることを特徴とする請求項１に記載の下げ札。
【請求項３】
紐や針金等の取付紐を通して荷物やその他の物に取り付けるための紙状の下げ札を、切り分け或いはミシン目等の分離用線に沿って分離することで複数枚作製することができるようにした単票若しくは連票からなる下げ札用シートであって、下げ札が作製された際に取付紐を取り付ける端辺となるべき線の近くに構成される通し穴を、過半円弧状の切り込みによって、該過半円弧の頂点が前記端辺となるべき線に対して最短距離位置に配置されると共に、過半円弧の一対の切り込み端が前記端辺となるべき線から等距離で且つ最長距離位置に配置されるように構成してあることを特徴とする下げ札用シート。
【請求項４】
過半円弧は中心角が１９０〜２３０度の範囲とすることを特徴とする請求項３に記載の下げ札用シート。
【考案の詳細な説明】
【技術分野】
【０００１】
本考案は下げ札及び下げ札用シートに関するものであり、詳しくは、荷札、表示ラベル、ＩＣタグ、ＲＦＩＤタグ、ストラップラベル、リストラベル、手荷物タグ、旗状止めラベル、巻付止ラベル、ゼッケン等の紐や針金等の取付紐を通して荷物やその他のものに取り付けるための紙状の下げ札に関する。またその下げ札を切り分けやミシン目等により分離して複数枚作製することができる単票や連票からなる下げ札用シートに関する。
【背景技術】
【０００２】
一般に荷札等の下げ札には、取付紐を通すための通し穴が設けられている。そしてこの通し穴には補強のために鳩目金具が嵌め込まれたりしている。
しかしながら、単票や連票からなる下げ札用シートを用いて、予めプリンター等で印字等を行なった後に、切り分け或いはミシン目から分離して下げ札とするものにあっては、前記単票や連票からなる下げ札用シートに設けた通し穴には予め鳩目金具を取り付けておくことができない。即ち、鳩目金具が問題なく通過できるようなプリンターがないためである。
従ってＯＡ機器で印字を行なったものを下げ札として用いようとする場合には、鳩目金具を取り付けることなく、そのまま使用に供することになることから、取付紐を通すための通し穴がそれ自体で簡単には破れないようにする必要が生じた。
下げ札シートに関する従来技術として、例えば特開２００３−１５７０１１号公報（特許文献１）には、複数の下げ札シート用の領域が構成され、各領域には取付紐を通すための抜き孔が構成されたものが開示されている。
また下げ札に関する従来技術として、特開２００３−１４０５５４号公報（特許文献２）には、ラベルに十字形や舌形にした切込みを設けたものが開示されている。また特開平１０−３１４２１号公報（特許文献３）には、放射状の切目による挿通口が備えられた係止用表示札が開示されている。また実開昭５９−９３７８号公報（特許文献４）には、名札としてＵ字形状の切込を入れた舌状片を設けたものが開示されている。
【特許文献１】特開２００３−１５７０１１号公報
【特許文献２】特開２００３−１４０５５４号公報
【特許文献３】特開平１０−３１４２１号公報
【特許文献４】実開昭５９−９３７８号公報
【考案の開示】
【考案が解決しようとする課題】
【０００３】
ところが上記特許文献１に記載の発明においては、取付紐を通すための抜き孔が文字通り抜き孔であることから、製造時に抜き孔を打ち抜く必要がある。従って製造時に打ち抜きカスが残るため、手作業による点検や抜きカスの除去に手間とコストがかかる問題があった。また抜き孔が３６０度の円弧をもつ全円であるため、荷札やその他の下げ札として使用するに際して、紐を通して引っ張った場合に、引張力が一点に集中し易く、抜き孔が破断し易いという問題があった。
一方、上記特許文献２、３、４に記載の発明においては、ラベルや表示札に十字形、放射状、或いは舌状の切込、切目を設けていることから、ピン等を通して、あまり力が加わることなく用いるにはよい。しかし、これらを荷札やその他の下げ札として使用した場合には、紐が通されて引っ張られることで、十字形、放射状、舌状の切込、切目の形状に起因して、切込み、切目の部分から容易に破断がなされるという問題が生じる。
【０００４】
そこで本考案は上記従来の問題を解消し、製造時に抜きカスが生じることなく、紐を通して引っ張っても容易に破断せず、またプリンター等のＯＡ機器に通して容易に印字、印刷することができ、また印字、印刷等の記載可能面積をより広く確保することができる下げ札及び下げ札用シートの提供を課題とする。
【課題を解決するための手段】
【０００５】
上記課題を達成するため、本考案の下げ札は、紐や針金等の取付紐を通して荷物やその他の物に取り付けるための紙状の下げ札であって、前記取付紐を取り付けるべき端辺の近くに構成される通し穴を、過半円弧状の切り込みによって、該過半円弧の頂点が前記端辺に対して最短距離位置に配置されると共に、過半円弧の一対の切り込み端が前記端辺から等距離で且つ最長距離位置に配置されるように構成してあることを第１の特徴としている。
また本考案の下げ札は、上記第１の特徴に加えて、過半円弧は中心角が１９０〜２３０度の範囲とすることを第２の特徴としている。
また本考案の下げ札用シートは、紐や針金等の取付紐を通して荷物やその他の物に取り付けるための紙状の下げ札を、切り分け或いはミシン目等の分離用線に沿って分離することで複数枚作製することができるようにした単票若しくは連票からなる下げ札用シートであって、下げ札が作製された際に取付紐を取り付ける端辺となるべき線の近くに構成される通し穴を、過半円弧状の切り込みによって、該過半円弧の頂点が前記端辺となるべき線に対して最短距離位置に配置されると共に、過半円弧の一対の切り込み端が前記端辺となるべき線から等距離で且つ最長距離位置に配置されるように構成してあることを第３の特徴としている。
また本考案の下げ札用シートは、上記第３の特徴に加えて、過半円弧は中心角が１９０〜２３０度の範囲とすることを第４の特徴としている。
【０００６】
上記において下げ札とは、荷札、タグ、ラベル等、荷物やその他の種々の取付対象物に対して取付紐で取り付けられる、長方形、正方形、その他の形状からなる紙状片である。
また紙状とは、湾曲等の変形が容易な比較的厚みが薄いものを意味し、材質としては和紙、西洋紙、プラスチック等からなる合成紙、貼合紙、不織等を含む。
また取付紐は通常１箇所に設けるが、比較的大きい形状の下げ札の場合には２箇所以上に取付紐を設ける場合もある。従って上記において通し穴は必ずしも１箇所に限るものでない。
また上記において過半円弧状とは、半円（中心角が１８０度）を超えるが全円（中心角が３６０度）には至らない状態にある円弧、及び略円弧を含む概念である。
【考案の効果】
【０００７】
請求項１に記載の下げ札によれば、紙状の下げ札の通し穴に取付紐が通されることで、荷物等の対象物に対する下げ札としての機能が完成される。下げ札の取付紐を荷物等の対象物に対して取り付けることで、下げ札としての所定の目的が達成される。
通し穴は、切り込みによって構成されることで、通し穴に相当する紙の部分が下げ札の本体にそのまま残った状態にある。従って製造工程中においても、抜きカスが発生することがない。よって抜きカスの有無の点検と除去にかかる手間と時間とコストが解消される。
また通し穴は過半円弧状の切り込みによって構成され、その配置は、過半円弧の頂点が取付紐を取り付けつけるべき端辺に対して最短距離位置になり、過半円弧の一対の切り込み端が前記端辺から最長距離位置になるように配置されるので、通し穴を全円とした場合に比べて、取付紐の引っ張りに対する通し穴の耐破断強度を大幅に向上させることができる。同様に、通し穴を半円以下の円弧状切り込みとした場合に比べても耐破断強度を大幅に向上させることができる。
勿論、過半円弧の一対の切り込み端が前記端辺から等距離に配置されることで、両切り込み端に加わる力が均等され、耐破断性が向上する。
更に通し穴は過半円弧状の切り込みで構成されるが、全円には至らない分だけ、印字、印刷等の記載可能面積を広く確保することができるメリットがある。
なお通し穴の配置構成として、過半円弧の一対の切り込み端を端辺に近い位置に配置し、過半円弧の頂点を端辺から遠い位置に配置するような配置構成の場合、即ち舌状のような配置構成とした場合には、取付紐を取り付けた際の下げ札の耐破断強度が非常に低いものとなり、目的を達成することができない。
【０００８】
請求項２に記載の下げ札によれば、上記請求項１に記載の構成による効果に加えて、通し穴を構成する過半円弧の中心角を１９０〜２３０度の範囲とすることで、一層良好に通し穴の耐破断強度を上げることができる。
【０００９】
請求項３に記載の下げ札用シートによれば、単票若しくは連票からなるシートに、複数の通し穴が構成される。この通し穴は、単票若しくは連票からなるシートから下げ札が切り分けられ、或いはミシン目等の分離用線に沿って分離されて作製された際に、取付紐を取り付ける端辺となるべき線の近くに構成される。通し穴自体は、上記第１の特徴の場合と同様に、過半円弧状の切り込みからなる。そして過半円弧状の切り込みの配置構成は、過半円弧の頂点が前記取付紐を取り付ける端辺となるべき線に対して最短距離位置に配置され、過半円弧の一対の切り込み端が前記端辺となるべき線から等距離で且つ最長距離位置に配置されるような構成とされている。
従って請求項３に記載の下げ札用シートを用いて、それらの単票、連票に必要に応じてプリンター等により印字、印刷を行った後、単票や連票を切り分け、或いはミシン目等の分離用線から分離して各下げ札を作製し、この下げ札の通し穴に取付紐を通して、荷物等の対象物に対する下げ札としての機能が完成させることができる。そして下げ札の取付紐を荷物等の対象物に対して取り付けることで、下げ札としての所定の目的が達成できる。
よって請求項３に記載の下げ札用シートによれば、通し穴を設けた単票や連票を製造する際に、前記通し穴が切り込みによって構成されることで、通し穴を打ち抜き等で抜き落とすことがないので、製造工程中においても抜きカスが発生することがない。また抜き落としがきっちりと行われているかどうかの点検や、抜きカスの除去にかかる手間と時間とコストが解消される。
また下げ札用シートに構成される通し穴は過半円弧状の切り込みによって構成され、その配置は、過半円弧の頂点が取付紐を取り付けつけき端辺となるべき線に対して最短距離位置になり、過半円弧の一対の切り込み端が前記端辺となるべき線から最長距離位置になるように配置されるので、通し穴を全円とした場合に比べて、取付紐の引っ張りに対する通し穴の耐破断強度を大幅に向上させることができる。同様に、通し穴を半円以下の円弧状切り込みとした場合に比べても耐破断強度を大幅に向上させることができる。
勿論、過半円弧の一対の切り込み端が前記端辺になるべき線から等距離に配置されることで、両切り込み端に加わる力が均等され、耐破断性が向上する。
更に通し穴は過半円弧状の切り込みで構成されるが、全円には至らない分だけ、印字、印刷等の記載可能面積を広く確保することができるメリットがある。
【００１０】
請求項４に記載の下げ札用シートによれば、上記請求項３に記載の構成による効果に加えて、通し穴を構成する過半円弧の中心角を１９０〜２３０度の範囲とすることで、一層良好に通し穴の耐破断強度を上げることができる。
【考案を実施するための最良の形態】
【００１１】
以下に添付の図面を参照して、本考案の実施形態を更に詳細に説明し、本考案の理解に供する。しかし以下の説明は本考案の具体例であって、実用新案登録請求の範囲に記載の内容を減縮するものではない。
図１は本考案の実施形態に係る下げ札の正面図、図２は本考案の実施形態に係る下げ札の斜視図、図３は本考案の実施形態に係る下げ札の側面図、図４は本考案の実施形態に係る下げ札の通し穴を構成する過半円弧状切り込みを説明する図、図５は本考案の実施形態に係る下げ札に取付紐を取り付けた状態を示す正面図、図６は本考案の実施形態に係る下げ札に取り付けた取付紐を引っ張った時の下げ札の状態を説明する図、図７は本考案の実施形態に係る下げ札用シートを単票で構成した例を示す正面図、図８は本考案の実施形態に係る下げ札用シートをドットプリンター用の連票で構成した例を示す正面図、図９は本考案の実施形態に係る下げ札用シートを熱転写用の連票で構成した例を示す正面図である。図１０は本考案の実施形態に係る下げ札用シートを連票で構成した他の例を示し、（Ａ）は切断前の状態を示す図、（Ｂ）、（Ｃ）、（Ｄ）は下げ札にカットした状態を示す図である。
【００１２】
図１〜図５を参照して、本考案の実施形態に係る下げ札１０は長方形状からなり、通し穴２０が設けられている。この通し穴２０には取付紐３０が通されて取り付けられる。
【００１３】
前記通し穴２０は、前記下げ札１０の四辺のうち、前記取付紐３０を取り付けるべき端辺１１に近くに構成される。本実施形態では長方形の下げ札１０の対向する２つの短辺の一方を、取付紐３０を取り付けるべき端辺１１としている。
通し穴２０は、実際には過半円弧状切り込み２１によって構成されている。過半円弧状切り込み２１によって囲まれた領域である通し穴片２２が下げ札１０の面に対して、図２、図３に示すように、表面側或いは裏面側に曲がることで、通し穴２０が開口状態となる。
前記下げ札１０は湾曲等の変形が容易で、比較的厚みが薄い紙状を呈する。その材料としては、既述したように、和紙、西洋紙、プラスチック等からなる合成紙、貼合紙、不織布等を含む。また形状は本実施形態では長方形状とするが、必ずしもこれに限定されるもおではなく、正方形やその他の形状とすることができる。
【００１４】
前記取付紐３０は、紐や針金等の素材で構成することができ、その機能としては、下げ札１０の通し穴２０に通され、通し穴２０に近い端辺１１の付近で結ばれることで、下げ札１０に取り付けられた状態となり、下げ札１０としての機能を完成させる。そして取付紐３０の自由端側で取付対象物に取り付ることで、下げ札１０を荷物やその他の取付対象物に取り付けることができる。
【００１５】
前記通し穴２０を構成する過半円弧状切り込み２１は、該過半円弧状切り込み２１の円弧の頂点２１ａが前記端辺１１に対して最短距離位置に配置され、過半円弧状切り込み２１の一対の切り込み端２１ｂが前記端辺１１から等距離で、且つ最長距離位置に配置されるように構成する。これによって過半円弧状切り込み２１は前記頂点２１ａを中心に両側へ鏡面対称の状態に配置される。
前記取付紐３０は、過半円弧状切り込み２１の頂点２１ａに掛かって上方に引っ張り力を加えることになる。
【００１６】
前記過半円弧状切り込み２１における過半円弧は、その範囲としては円弧の中心角が１８０度（半円）を超え、且つ中心角が３６０（全円）度未満となる範囲を言う。
通し穴２０が半円からなる円弧状切り込み、或いは半円未満の円弧状切り込みで構成される場合は、取付紐３０を通し穴２０の頂点（円弧状切り込みの頂点）に取り付けて、引っ張ったときに、円弧状切り込みの一対の切り込み端に応力が集中し易く、切り込み端から亀裂が発生、伝播し易くなる。このため通し穴２０の耐破断強度が低くなる。
一方、通し穴２０を全円で構成した場合には、取付紐３０が引っ張られた場合に該取付紐を取り付けた通し円２０の頂点位置に応力が集中し易く、この頂点位置から破断し易くなる傾向となる。このため通し穴２０の耐破断強度が向上しない。
これに対して通し穴２０を過半円弧状切り込み２１で構成した場合には、該過半円弧状切り込み２１の切り込み端２１ｂや頂点２１ａに対する応力集中が緩和され、亀裂の発生と伝播が起こり難くなって、耐破断強度が向上する。
【００１７】
図６を参照して、該図６は下げ札１０が取付紐３０によって、図面上において上方に引っ張られた状態を示す。
今、仮想線で示した過半円弧状切り込み２１の頂点２１ａ付近に取付紐３０を取り付けた状態で、この取付紐３０が上方に引っ張られると、引っ張り力が頂点２１ａ付近から両側の円弧を通って両切り込み端２１ｂ、２１ｂ側へ、白矢印１で示すような分力となって加わる（図６では一方の切り込み端２１ｂ付近についてのみ矢印を表示している。）。
すると切り込み端２１ｂ付近の外側周囲の部分に黒矢印２で示すような引き寄せ力が働き、該外側周囲の部分が内方に変位して、応力を緩和する。
このとき切り込み端２１ｂは、その端が半円位置を越えた状態で内向き方向に向いていることから、該切り込み端２１ｂにはあまり応力が集中せず、亀裂の発生と伝播が生じ難い状態となっている。
更に白矢印３で示す分力、それに対する黒矢印４で示す引き寄せ力が交互に働くことで、切り込み端２１ｂ付近の外側周囲の部分が内方に引き寄せられて変形し、通し穴２０付近が下げ札１０の表側或いは裏側に盛り上がるように湾曲した状態へと変化する。またこの湾曲に伴って生じる余裕部分が縦方向（上向き）に変位して通し穴２０が縦長となるような変形（図６の実線で示す過半円弧状切り込み２１が縦長となる変形）がなされる。
この縦方向の変形は、過半円弧状切り込み２１（通し穴２０）の頂点２１ａに働く垂直方向の力を緩和する。このため過半円弧状切り込み２１（通し穴２０）の頂点２１ａ付近からの亀裂の発生と伝播も生じ難くなる。
このようにして過半円弧状切り込み２１によって通し穴２０を構成した場合には、取付紐３０が引っ張られても、その引っ張り力は、過半円弧状切り込み２１の外側にある領域に対する黒矢印２、４、５で示されるような引き寄せ力として分散される結果となり、通し穴２０の破断が回避される傾向となるのである。
【００１８】
図４を参照して、前記通し穴２０を構成する過半円弧状切り込み２１は、好ましくは中心角が１９０〜２３０度の範囲とするのがよい。この範囲とすることで、通し穴２０から生じる亀裂の発生及び伝播をより効果的に抑制し、通し穴２０の耐破断強度を一層良好なものとすることができる。
【００１９】
図７〜図１０を参照して、本考案の実施形態に係る下げ札用シートを説明する。
先ず図７に示す下げ札用シート４０は、単票からなる下げ札用シートを示している。このシート４０は、レーザープリンターやインクジェットプリンター等によって印字、印刷が可能である。
下げ札用シート４０には、分離用線としてミシン目４１が設けられ、ミシン目４１により２列で計８枚の下げ札１０を分離して作製できるようになされている。ミシン目４１で区分された各下げ札領域４２には、下げ札１０が作製された際に取付紐３０を取り付ける端辺１１となるべき線Ｌの近くに通し穴２０が構成されている。
前記通し穴２０は、過半円弧状切り込み２１によって構成する。過半円弧状切り込み２１は、その頂点２１ａが前記線Ｌに対して最短距離位置に配置され、また一対の切り込み端２１ｂ、２１ｂが前記線Ｌから等距離で且つ最長距離位置に配置されるようにして配置構成されている。
過半円弧状切り込み２１は、好ましくはその過半円弧の中心角が１９０〜２３０の範囲とするのが好ましい。
この下げ札用シート４０に設けられる過半円弧状の切り込み２１については、下げ札用領域４２を下げ札１０とし、線Ｌを端辺１１と置きかえることで、図１〜図６において既述した下げ札１０の説明に用いた過半円弧状の切り込み２１と同じ構成であり、また作用効果も同様であるので、これ以上の説明を省略する。
【００２０】
下げ札用シート４０をレーザープリンターやインクジェットプリンターに通して、必要な印字、印刷を下げ札領域４２に行う。その後、分離用線であるミシン目４１で分離して、複数枚の下げ札１０とし、通し穴２０に取付紐３０を通して下げ札１０としての機能を完成させることで、所望の取り付け対象物に対して取り付けることができる。
【００２１】
図８に示す下げ札用シート５０は、連票からなるシートを示している。この下げ札用シート５０は、ドットプリンターに適した連票である。ドットプリンターの送りローラに嵌り合う嵌合穴５０ａが連票の両辺部に設けられている。
この下げ札用シート５０には、分離用線としてミシン目５１が一定の幅で連票を横断して設けられている。このミシン目５１で区分された各領域は下げ札領域５２となり、分離されることで下げ札１０となる。
各下げ札領域５２には、下げ札１０が作製された際に取付紐３０を取り付ける端辺１１となるべき線Ｌの近くに通し穴２０が構成されている。
前記通し穴２０は、過半円弧状切り込み２１によって構成する。過半円弧状切り込み２１は、その頂点２１ａが前記線Ｌに対して最短距離位置に配置され、また一対の切り込み端２１ｂ、２１ｂが前記線Ｌから等距離で且つ最長距離位置に配置されるようにして配置構成されている。
過半円弧状切り込み２１は、好ましくはその過半円弧の中心角が１９０〜２３０の範囲とするのが好ましい。
この下げ札用シート５０に設けられる過半円弧状の切り込み２１については、下げ札用領域５２を下げ札１０とし、線Ｌを端辺１１と置きかえることで、図１〜図６において既述した下げ札１０の説明に用いた過半円弧状の切り込み２１と同じ構成であり、また作用効果も同様であるので、これ以上の説明を省略する。
下げ札用シート５０をドットプリンターに通して、必要な印字、印刷を下げ札領域５２に行う。その後、分離用線であるミシン目５１で分離して、複数枚の下げ札１０とし、通し穴２０に取付紐３０を通して下げ札１０としての機能を完成させることで、所望の取り付け対象物に対して取り付けることができる。
【００２２】
図９に示す下げ札用シート６０は、連票からなるシートを示している。この下げ札用シート６０は、熱転写プリンターに適した連票である。
この下げ札用シート６０には、分離用線としてミシン目６１が一定の幅で連票を横断して設けられている。このミシン目６１で区分された各領域は下げ札領域６２となり、分離されることで下げ札１０となる。
各下げ札領域６２には、下げ札１０が作製された際に取付紐３０を取り付ける端辺１１となるべき線Ｌの近くに通し穴２０が構成されている。
前記通し穴２０は過半円弧状切り込み２１で構成するが、この過半円弧状切り込み２１の構成は図１〜図６、及び図７、図８で既に説明したものと同じであるので、省略する。
下げ札用シート６０を、熱転写プリンターに通して、必要な印字、印刷を下げ札領域６２に行い。その後、分離用線であるミシン目６１で分離して、複数枚の下げ札１０とし、通し穴２０に取付紐３０を通して下げ札１０としての機能を完成させることで、所望の取り付け対象物に対して取り付けることができる。
【００２３】
図１０に示す下げ札用シート７０は、（Ａ）に示すように、連票からなるシートを示している。この下げ札用シート７０には、ミシン目の如き分離用線を設けていない。
その一方、連票の連続する両辺のうちの一方を、下げ札１０が作製された際に取付紐３０が取り付けられる端辺１１となるべき線Ｌとし、この線Ｌの近くに通し穴２０を一定の間隙で並列して構成している。
前記通し穴２０は過半円弧状切り込み２１によって構成されている。過半円弧状切り込み２１の構成は既に述べた通りである。
各過半円弧状切り込み２１の間隔は、（Ｂ）に示すような幅の狭い短冊形の下げ札１０から、（Ｃ）に示す平均的な幅の下げ札１０、更には（Ｄ）に示すような、かなり幅の広い下げ札１０が自由に作製できるように、間隙を適当に狭くしたものとしている。前記図１０（Ｄ）に示す幅の広い下げ札１０の場合は、通常の荷札等に使うのではなく、ノボリとして竿に取り付けて用いることができるものである。また垂れ幕等の代わりに用いることが可能である。本考案の下げ札はこのような場合も含む概念である。
【００２４】
なお下げ札用シート４０、５０、６０、７０に用いるシートは、勿論、下げ札１０となるものであることから、下げ札１０の場合と同様の材質である。即ち湾曲等の変形が容易で、比較的厚みが薄い紙状を呈する。その材料としては、既述したように、和紙、西洋紙、プラスチック等からなる合成紙、貼合紙、不織布等を含むものである。
【産業上の利用可能性】
【００２５】
荷札をはじめとし、取付対象物に対して取付紐で取り付けることができる各種の下げ札として用いられる。この下げ札の概念は広く、単に吊り下げるものに限らず、取付対象物に対して取り付けるものである、また下げ札用シートは、下げ札を作製するシートとして、単票や連票として、コンピュータ等に連動したプリンターに通して印字、印刷できるものであるが、勿論、手書きも可能である。
【図面の簡単な説明】
【００２６】
【図１】本考案の実施形態に係る下げ札の正面図である。
【図２】本考案の実施形態に係る下げ札の斜視図である。
【図３】本考案の実施形態に係る下げ札の側面図である。
【図４】本考案の実施形態に係る下げ札の通し穴を構成する過半円弧状切り込みを説明する図である。
【図５】本考案の実施形態に係る下げ札に取付紐を取り付けた状態を示す正面図である。
【図６】本考案の実施形態に係る下げ札に取り付けた取付紐を引っ張った時の下げ札の状態を説明する図である。
【図７】本考案の実施形態に係る下げ札用シートを単票で構成した例を示す正面図である。
【図８】本考案の実施形態に係る下げ札用シートをドットプリンター用の連票で構成した例を示す正面図である。
【図９】本考案の実施形態に係る下げ札用シートを熱転写用の連票で構成した例を示す正面図である。
【図１０】本考案の実施形態に係る下げ札用シートを連票で構成した他の例を示し、（Ａ）は切断前の状態を示す図、（Ｂ）、（Ｃ）、（Ｄ）はそれぞれ下げ札にカットした状態を示す図である。
【符号の説明】
【００２７】
１０    下げ札
１１    端辺
２０    通し穴
２１    過半円弧状切り込み
２１ａ  頂点
２１ｂ  切り込み端
２２    通し穴片
３０    取付紐
４０    下げ札用シート
４１    ミシン目
４２    下げ札領域
５０    下げ札用シート
５０ａ  嵌合穴
５１    ミシン目
５２    下げ札領域
６０    下げ札用シート
６１    ミシン目
６２    下げ札領域
７０    下げ札用シート
Ｌ      線
【図１】
0003116338.tif 000003
【図２】
0003116338.tif 000004
【図３】
0003116338.tif 000005
【図４】
0003116338.tif 000006
【図５】
0003116338.tif 000007
【図６】
0003116338.tif 000008
【図７】
0003116338.tif 000009
【図８】
0003116338.tif 000010
【図９】
0003116338.tif 000011
【図１０】
0003116338.tif 000012
【手続補正書】
【提出日】平成17年9月8日(2005.9.8)
【手続補正１】
【補正対象書類名】明細書
【補正対象項目名】０００６
【補正方法】変更
【補正の内容】
【０００６】
上記において下げ札とは、荷札、タグ、ラベル等、荷物やその他の種々の取付対象物に対して取付紐で取り付けられる、長方形、正方形、その他の形状からなる紙状片である。
また紙状とは、湾曲等の変形が容易な比較的厚みが薄いものを意味し、材質としては和紙、西洋紙、プラスチック等からなる合成紙、貼合紙、不織布等を含む。
また取付紐は通常１箇所に設けるが、比較的大きい形状の下げ札の場合には２箇所以上に取付紐を設ける場合もある。従って上記において通し穴は必ずしも１箇所に限るものでない。
また上記において過半円弧状とは、半円（中心角が１８０度）を超えるが全円（中心角が３６０度）には至らない状態にある円弧、及び略円弧を含む概念である。
【手続補正２】
【補正対象書類名】明細書
【補正対象項目名】００１３
【補正方法】変更
【補正の内容】
【００１３】
前記通し穴２０は、前記下げ札１０の四辺のうち、前記取付紐３０を取り付けるべき端辺１１に近くに構成される。本実施形態では長方形の下げ札１０の対向する２つの短辺の一方を、取付紐３０を取り付けるべき端辺１１としている。
通し穴２０は、実際には過半円弧状切り込み２１によって構成されている。過半円弧状切り込み２１によって囲まれた領域である通し穴片２２が下げ札１０の面に対して、図２、図３に示すように、表面側或いは裏面側に曲がることで、通し穴２０が開口状態となる。
前記下げ札１０は湾曲等の変形が容易で、比較的厚みが薄い紙状を呈する。その材料としては、既述したように、和紙、西洋紙、プラスチック等からなる合成紙、貼合紙、不織布等を含む。また形状は本実施形態では長方形状とするが、必ずしもこれに限定されるものではなく、正方形やその他の形状とすることができる。